(57)【要約】【課題】洗浄水の流れによる排水弁の弁体の早閉まりを防ぎ、排水弁の閉鎖後に洗浄水タンク内に残される洗浄水の死水水位を安定させ、便器の安定した洗浄を行うことができる排水弁装置及びそれを備えた洗浄水タンク装置を提供する。【解決手段】本発明の排水弁装置２８は、排水口２２ａを開閉する弁体８４と、この弁体の上下動を制御する制御筒７６と、を備えた排水弁ユニット５８と、排水口及び排水弁ユニットの制御筒の周囲を取り囲むように貯水タンク２２の底面から上方に延びて上方を開放する側壁９０ｂと、この側壁を貫くように形成された開口部９０ｃと、この開口部を開閉可能に側壁に取り付けられた切替弁５６と、を備えた筒体６２と、を有し、排水弁ユニットの制御筒から排水口まで延びた側面には、筒体と排水口とを連通させる連通口８２が形成され、筒体の開口部は、連通口の上端以下の高さ位置に配置されている。【選択図】図４
2012072589.tif 000002
【特許請求の範囲】
【請求項１】
便器を洗浄する洗浄水を貯える洗浄水タンクの排水弁装置であって、
洗浄水タンクの底面に配置された排水口を開閉する弁体と、この弁体の上下動を制御する制御筒と、を備えた排水弁と、
上記排水口及び上記排水弁の制御筒の周囲を取り囲むように上記洗浄水タンクの底面から上方に延びて上方を開放する側壁と、この側壁を貫くように形成された開口部と、この開口部を開閉可能に上記側壁に取り付けられた切替弁と、を備えた筒体と、を有し、
上記排水弁の制御筒から上記排水口まで延びた側面には、上記筒体と上記排水口とを連通させる連通口が形成され、上記筒体の開口部は、上記連通口の上端以下の高さ位置に配置されていることを特徴とする排水弁装置。
【請求項２】
上記排水弁の弁体は、上記洗浄水タンク内の洗浄水が上記排水口から便器に供給される際に所定の最高高さ位置まで上昇し、上記弁体の所定の最高高さ位置は、上記筒体の開口部の上端以上の高さ位置に設定されている請求項１記載の排水弁装置。
【請求項３】
上記排水弁の制御筒は、洗浄水を貯水すると共にその貯水された洗浄水を所定の小さな流量で排出する小穴が形成された貯水部と、この貯水部内の水位の低下に伴って下降するように上記貯水部内に設けられたフロートと、を備え、上記排水弁の弁体は、上記フロートの下降と連動して下降して上記排水口を閉鎖するように構成され、上記制御筒の貯水部の小穴は、上記筒体の開口部の上端以上の高さ位置に配置されている請求項１又は２に記載の排水弁装置。
【請求項４】
上記排水弁の弁体の下端部は、上記排水口の上方に対向するように位置し、上方から下方に向って窄まるように縮径する曲がり面を形成する請求項１乃至３の何れか１項に記載の排水弁装置。
【請求項５】
上記排水口は、上記排水弁の弁体の下端部と対向する面が下方へ延びる内周面に沿って縮径する流路面を形成する請求項１乃至４の何れか１項に記載の排水弁装置。
【請求項６】
請求項１乃至５の何れか１項に記載の排水弁装置を備えた洗浄水タンク装置。
【発明の詳細な説明】
【技術分野】
【０００１】
本発明は、排水弁装置、及び、それを備えた洗浄水タンク装置に係り、特に、便器を洗浄する洗浄水を貯える洗浄水タンクの排水弁装置、及び、それを備えた洗浄水タンク装置に関する。
【背景技術】
【０００２】
従来から、便器を洗浄する洗浄水を貯える洗浄水タンクの排水弁装置及びそれを備えた洗浄水タンク装置として、例えば、特許文献１に記載されているように、洗浄水タンクの底部に形成された排水口とこの排水口を開閉させる排水弁とを囲むように筒体が設けられ、この筒体の側面には開口が形成されると共に、この筒体の開口を開閉する弁体が設けられているものが知られている。
このような、従来の洗浄水タンクの排水弁装置及びそれを備えた洗浄水タンク装置においては、便器の大洗浄を行う際には、筒体の開口が開放されたままの状態で排水弁が上昇して排水口を開放することにより、洗浄水タンク内の洗浄水が筒体の開口を通過し、排水口から便器へ排出される洗浄水量を多くする一方、便器の小洗浄を行う際には、筒体の開口を弁体で閉じた状態で排水弁が上昇して排水口を開放し、洗浄水タンク内から排水口を経て便器へ排出させる洗浄水量を少なくすることにより、大洗浄モードと小洗浄モードのいずれかの洗浄モードに切り替えるようになっている。
【先行技術文献】
【特許文献】
【０００３】
【特許文献１】特開昭６１−７２１４４号公報
【発明の概要】
【発明が解決しようとする課題】
【０００４】
しかしながら、上述した従来の排水弁装置においては、筒体の開口の位置が、排水口を開放した際の排水弁の弁体の上昇位置よりも上方に位置しているため、便器の大洗浄時に筒体の開口が開放された状態で排水弁が上昇すると、洗浄水タンク内の洗浄水が筒体の開口を経て筒体内に流入した際、開弁時の排水弁の弁体に洗浄水が上方から勢いよく当たることになる。
したがって、このような洗浄水によって開弁時の排水弁の弁体を押し下げようとする水圧が作用するため、排水弁が洗浄水の流れと共に早閉まりすることになり、排水弁が排水口を閉鎖後に洗浄水タンク内に残される洗浄水の水位（死水水位）がばらつくという問題がある。
また、このような排水弁の早閉まりを抑制するためには、例えば、大きい浮力が排水弁に作用するように排水弁のフロートを大きくする等の措置も必要となるが、排水弁装置全体が大型化してしまうという問題もある。
【０００５】
そこで、本発明は、上述した従来技術の問題点を解決するためになされたものであり、洗浄水の流れによる排水弁の弁体の早閉まりを防ぎ、排水弁の閉鎖後に洗浄水タンク内に残される洗浄水の死水水位を安定させ、便器の安定した洗浄を行うことができる排水弁装置及びそれを備えた洗浄水タンク装置を提供することを目的としている。
【課題を解決するための手段】
【０００６】
上記の目的を達成するために、本発明は、便器を洗浄する洗浄水を貯える洗浄水タンクの排水弁装置であって、洗浄水タンクの底面に配置された排水口を開閉する弁体と、この弁体の上下動を制御する制御筒と、を備えた排水弁と、上記排水口及び上記排水弁の制御筒の周囲を取り囲むように上記洗浄水タンクの底面から上方に延びて上方を開放する側壁と、この側壁を貫くように形成された開口部と、この開口部を開閉可能に上記側壁に取り付けられた切替弁と、を備えた筒体と、を有し、上記排水弁の制御筒から上記排水口まで延びた側面には、上記筒体と上記排水口とを連通させる連通口が形成され、上記筒体の開口部は、上記連通口の上端以下の高さ位置に配置されていることを特徴としている。
このように構成された本発明においては、排水弁を上昇させて開弁し、洗浄水タンク内の洗浄水が排水口から便器に供給されて便器の洗浄が行われる際に、洗浄水タンク内の洗浄水が筒体の開口部から筒体内に流入し、排水弁の制御筒から排水口まで延びた側面に形成された連通口を通過して、排水口へと流れる。この際、筒体の開口部が、制御筒から排水口まで延びた側面に形成された連通口の上端以下の高さ位置に配置されているため、洗浄水タンク内の洗浄水が筒体の開口部から筒体内に流入しても、洗浄水の流れの勢いが弱められた状態で流入する。したがって、このような流れの勢いが弱められた洗浄水により、開弁状態の排水弁の弁体を閉鎖する方向に押し下げる力も弱められるため、洗浄水の流れによる排水弁の弁体の早閉まりを防ぐことができる。この結果、排水弁の閉鎖後に洗浄水タンク内に残される洗浄水の死水水位を安定させることができ、便器の安定した洗浄を行うことができる。
【０００７】
本発明において、好ましくは、上記排水弁の弁体は、上記洗浄水タンク内の洗浄水が上記排水口から便器に供給される際に所定の最高高さ位置まで上昇し、上記弁体の所定の最高高さ位置は、上記筒体の開口部の上端以上の高さ位置に設定されている。
このように構成された本発明においては、洗浄水タンク内の洗浄水が排水口から便器に供給されて便器の洗浄が行われる際に、排水弁の弁体が上昇した所定の最高高さ位置が、筒体の開口部の上端以上の高さ位置に設定されているため、筒体の開口部から筒体内に流入した洗浄水により、開弁状態の排水弁の弁体が閉鎖する方向に押し下げられることをより効果的に防ぎ、洗浄水の流れによる排水弁の弁体の早閉まりをより効果的に防ぐことができる。
【０００８】
本発明において、好ましくは、上記排水弁の制御筒は、洗浄水を貯水すると共にその貯水された洗浄水を所定の小さな流量で排出する小穴が形成された貯水部と、この貯水部内の水位の低下に伴って下降するように上記貯水部内に設けられたフロートと、を備え、上記排水弁の弁体は、上記フロートの下降と連動して下降して上記排水口を閉鎖するように構成され、上記制御筒の貯水部の小穴は、上記筒体の開口部の上端以上の高さ位置に配置されている。
このように構成された本発明においては、排水弁の制御筒の貯水部の小穴が、筒体の開口部の上端以上の高さ位置に配置されているため、洗浄水タンク内の洗浄水が排水口から便器に供給されて便器の洗浄が行われた際に、制御筒の貯水部の小穴から排出される洗浄水が、筒体の開口部から筒体内に流入した洗浄水の影響を受けることがなく、制御筒の貯水部内の水位が安定して低下するため、フロートを安定して下降させることができると共に、排水弁の弁体を安定して下降させることができる。
【０００９】
本発明において、好ましくは、上記排水弁の弁体の下端部は、上記排水口の上方に対向するように位置し、上方から下方に向って窄まるように縮径する曲がり面を形成する。
このように構成された本発明においては、排水弁の弁体の下端部が上方から下方に向って窄まるように縮径する曲がり面を形成しているため、排水弁の弁体が開弁されて洗浄水タンク内の洗浄水が排水弁の弁体の下端部を通過する際に、洗浄水が弁体の下端部の曲がり面に沿って滑らかに流れて排水口から排出される。したがって、排水弁の弁体の下端部を通過する洗浄水の圧力損失を低減させることができ、便器の洗浄性能を向上させることがきる。
【００１０】
本発明において、好ましくは、上記排水口は、上記排水弁の弁体の下端部と対向する面が下方へ延びる内周面に沿って縮径する流路面を形成する。
このように構成された本発明においては、排水弁の弁体の下端部と対向する排水口の面が下方へ延びる内周面に沿って縮径する流路面を形成することにより、排水弁の弁体が開弁され、洗浄水タンク内の洗浄水が排水口から便器に排出される際に、排水口の下方へ延びる内周面に沿って縮径する流路面に沿って滑らかに流れて排出される。したがって、排水口を通過する洗浄水の圧力損失を低減させることができ、便器の洗浄性能を向上させることがきる。
【００１１】
また、本発明は、上記排水弁装置を備えた洗浄水タンク装置である。
このように構成された本発明においては、排水弁の閉鎖後に洗浄水タンク内に残される洗浄水の死水水位を安定させることができ、便器の安定した洗浄を行うことができる。
【発明の効果】
【００１２】
本発明の排水弁装置及びそれを備えた洗浄水タンク装置によれば、洗浄水の流れによる排水弁の弁体の早閉まりを防ぎ、排水弁の閉鎖後に洗浄水タンク内に残される洗浄水の死水水位を安定させ、便器の安定した洗浄を行うことができる。
【図面の簡単な説明】
【００１３】
【図１】本発明の第１実施形態による洗浄水タンク装置が適用された水洗便器の断面図である。
【図２】本発明の第１実施形態による洗浄水タンク装置について蓋体を取り外した状態で貯水タンク内の構造を前方斜め上方から見た斜視図である。
【図３】本発明の第１実施形態による洗浄水タンク装置の貯水タンク内の構造を示す平面図である。
【図４】図３のＩＶ−ＩＶ線に沿って見た断面図である。
【図５】図４のＶ−Ｖ線に沿って見た断面図である。
【図６】本発明の第１実施形態による洗浄水タンク装置の排水弁装置の分解斜視図である。
【図７】図７（ａ）は、本発明の第１実施形態による洗浄水タンク装置の閉弁時の排水弁装置を示す図３のＶＩＩ−ＶＩＩ線に沿って見た断面図であり、図７（ｂ）は、本発明の第１実施形態による洗浄水タンク装置の大洗浄モードにおける排水開始時の状態の排水弁装置を示す図３のＶＩＩ−ＶＩＩ線に沿って見た断面図であり、図７（ｃ）は、本発明の第１実施形態による洗浄水タンク装置の小洗浄モードにおける排水開始時の状態の排水弁装置を示す図３のＶＩＩ−ＶＩＩ線に沿って見た断面図である。
【図８】図８（ａ）は、本発明の第１実施形態による洗浄水タンク装置の大洗浄モードにおける排水開始前の状態の排水弁装置を示す断面図であり、図８（ｂ）は、本発明の第１実施形態による洗浄水タンク装置の大洗浄モードにおける排水開始直後の状態の排水弁装置を示す断面図であり、図８（ｃ）は、本発明の第１実施形態による洗浄水タンク装置の大洗浄モードにおける排水途中の状態の排水弁装置を示す断面図であり、図８（ｄ）は、本発明の第１実施形態による洗浄水タンク装置の大洗浄モードにおける排水終了後の状態の排水弁装置を示す断面図である。
【図９】図９（ａ）は、本発明の第１実施形態による洗浄水タンク装置の小洗浄モードにおける排水開始前の状態の排水弁装置を示す断面図であり、図９（ｂ）は、本発明の第１実施形態による洗浄水タンク装置の小洗浄モードにおける排水開始直後の状態の排水弁装置を示す断面図であり、図９（ｃ）は、本発明の第１実施形態による洗浄水タンク装置の小洗浄モードにおける排水途中の状態の排水弁装置を示す断面図であり、図９（ｄ）は、本発明の第１実施形態による洗浄水タンク装置の小洗浄モードにおける排水終了後の状態の排水弁装置を示す断面図である。
【図１０】図１０（ａ）は、本発明の第２実施形態による洗浄水タンク装置の閉弁時の排水弁装置を示す断面図であり、図１０（ｂ）は、本発明の第２実施形態による洗浄水タンク装置の大洗浄モードにおける排水開始時の状態の排水弁装置を示す断面図であり、図１０（ｃ）は、本発明の第２実施形態による洗浄水タンク装置の小洗浄モードにおける排水開始時の状態の排水弁装置を示す断面図である。
【図１１Ａ】図１１Ａの（ａ）〜（ｃ）は、本発明の第３実施形態による排水弁装置において、筒体が排水弁装置に取り付けられた状態から筒体を取り外した状態に設定するまでの工程を示す工程図である。
【図１１Ｂ】図１１Ｂの（ｄ）〜（ｆ）は、本発明の第３実施形態による排水弁装置において、筒体が排水弁装置に取り付けられた状態から筒体を取り外した状態に設定するまでの工程を示す工程図である。
【図１１Ｃ】図１１Ｃの（ｇ）〜（ｉ）は、本発明の第３実施形態による排水弁装置において、筒体が排水弁装置に取り付けられた状態から筒体を取り外した状態に設定するまでの工程を示す工程図である。
【発明を実施するための形態】
【００１４】
つぎに、添付図面により、本発明の第１実施形態による排水弁装置及びそれを備えた洗浄水タンク装置を説明する。
まず、図１により、本発明の第１実施形態による洗浄水タンク装置が適用された水洗便器を説明する。
図１は、本発明の第１実施形態による洗浄水タンク装置が適用された水洗便器の断面図である。
【００１５】
図１に示すように、符号１は洗落し式の水洗便器を示し、この便器１は、便器本体２を備え、この便器本体２にはボウル部４と、導水路６と、ボウル部４の下部と連通するトラップ管路８がそれぞれ形成されている。
便器本体２のボウル部４の上縁部には、内側にオーバーハングしたリム１０と、導水路６から供給される洗浄水を吐水する第１吐水口１２が形成され、この第１吐水口１２から吐水された洗浄水は、旋回しながら下降してボウル部を洗浄するようになっている。
【００１６】
ボウル部４の下方には、一点鎖線で貯留面Ｗ0が示された溜水部１４が形成されている。この溜水部１４の下方には、排水トラップ管路８の入口８ａが開口し、この入口８ａから上昇路８ｂが後方に延びている。この上昇路８ｂには下降路８ｃが連続し、下降路８ｃの下端は排水ソケット（図示せず）を介して床下の排出管（図示せず）に接続されている。また、ボウル部４の貯留面Ｗ0の上方位置には、導水路６から供給される洗浄水を吐水する第２吐水口１６が形成され、この第２吐水口１６から吐水される洗浄水が溜水部１４の溜水を上下方向に旋回させる旋回流を生じさせるようになっている。
【００１７】
便器本体２の導水路６の上方には、便器本体２に供給する洗浄水を貯水する洗浄水タンク装置１８（詳細は後述する）が設けられている。
洗浄水タンク装置１８は、陶器製の外装タンク２０と、この外装タンク２０内に配置され、水洗便器１を洗浄する洗浄水が貯水される貯水タンク２２と、外装タンク２０に載せられる蓋体２４を備えている。
貯水タンク２２の底部には、便器本体２の導水路６と連通する排水口２２ａが形成され、貯水タンク２２内の洗浄水が導水路６へと排水されるようになっている。また、貯水タンク２２は、便器の種類に応じて、貯水する洗浄水の量が異なっている。
なお、本実施形態による洗浄水タンク装置１８においては、上述した洗落し式以外の他のタイプの水洗便器（例えば、サイホン式水洗便器など）にも適用可能である。
【００１８】
つぎに、図２により、洗浄水タンク装置１８を詳細に説明する。
図２は、本発明の第１実施形態による洗浄水タンク装置について蓋体を取り外した状態で貯水タンク内の構造を前方斜め上方から見た斜視図であり、図３は、本発明の第１実施形態による洗浄水タンク装置の貯水タンク内の構造を示す平面図である。
また、図４は、図３のＩＶ−ＩＶ線に沿って見た断面図であり、図５は、図４のＶ−Ｖ線に沿って見た断面図である。なお、図４及び図５においては、貯水タンク２２の満水時の止水水位をＷＬ０で示している。
【００１９】
図２〜図５に示すように、洗浄水タンク装置１８の貯水タンク２２内には、この貯水タンク２２内に洗浄水を供給する給水装置２６と、貯水タンク２２に貯えられた洗浄水について排水口２２ａを開放して便器本体２の導水路６に排出する排水弁装置２８とが設けられている。
【００２０】
給水装置２６は、外部の給水源に接続され貯水タンク２２の底部から上方に延びる給水管３０と、この給水管３０の上端部に取り付けられ、給水管３０から給水される洗浄水の貯水タンク２２内への吐水と止水を切り替える給水バルブ３２と、貯水タンク２２内の水位の変動に応じて上下動して給水バルブ３２による吐水と止水を切り替えるフロート３４とを備えている。
【００２１】
給水管３０の外周側下端部には、吐水口３６が開口し、給水バルブ３２からの洗浄水がこの吐水口３６から貯水タンク２２内に吐水されるようになっている。
給水装置２６は、更に、給水バルブ３２に接続されたリフィール管３８を備え、このリフィール管３８の下流端は、後述する排水弁装置２８のオーバーフロー管４０の上端開口の上方に位置している。
【００２２】
給水装置２６においては、後述する排水弁装置２８により、貯水タンク２２内の洗浄水が便器に排水されると、洗浄水の水位が低下してフロート３４が下降し、それにより給水バルブ３２が開き、吐水口３６から吐水が開始される、貯水タンク２２内への吐水が開始される。次に、吐水が継続されて水位が上昇すると、フロート３４も上昇し、それにより給水バルブ３２が閉じ、吐水口３６が止水される。これにより、貯水タンク２２内の洗浄水の水位を所定の満水時の水位に維持するようになっている。
【００２３】
つぎに、図２〜図９を参照して、排水弁装置２８を詳細に説明する。
図６は、本発明の第１実施形態による洗浄水タンク装置の排水弁装置の分解斜視図である。
また、図７（ａ）は、本発明の第１実施形態による洗浄水タンク装置の閉弁時の排水弁装置を示す図３のＶＩＩ−ＶＩＩ線に沿って見た断面図であり、図７（ｂ）は、本発明の第１実施形態による洗浄水タンク装置の大洗浄モードにおける排水開始時の状態の排水弁装置を示す図３のＶＩＩ−ＶＩＩ線に沿って見た断面図であり、図７（ｃ）は、本発明の第１実施形態による洗浄水タンク装置の小洗浄モードにおける排水開始時の状態の排水弁装置を示す図３のＶＩＩ−ＶＩＩ線に沿って見た断面図である。
【００２４】
さらに、図８（ａ）は、本発明の第１実施形態による洗浄水タンク装置の大洗浄モードにおける排水開始前の状態の排水弁装置を示す断面図であり、図８（ｂ）は、本発明の第１実施形態による洗浄水タンク装置の大洗浄モードにおける排水開始直後の状態の排水弁装置を示す断面図であり、図８（ｃ）は、本発明の第１実施形態による洗浄水タンク装置の大洗浄モードにおける排水途中の状態の排水弁装置を示す断面図であり、図８（ｄ）は、本発明の第１実施形態による洗浄水タンク装置の大洗浄モードにおける排水終了後の状態の排水弁装置を示す断面図である。
【００２５】
また、図９（ａ）は、本発明の第１実施形態による洗浄水タンク装置の小洗浄モードにおける排水開始前の状態の排水弁装置を示す断面図であり、図９（ｂ）は、本発明の第１実施形態による洗浄水タンク装置の小洗浄モードにおける排水開始直後の状態の排水弁装置を示す断面図であり、図９（ｃ）は、本発明の第１実施形態による洗浄水タンク装置の小洗浄モードにおける排水途中の状態の排水弁装置を示す断面図であり、図９（ｄ）は、本発明の第１実施形態による洗浄水タンク装置の小洗浄モードにおける排水終了後の状態の排水弁装置を示す断面図である。
【００２６】
図２〜図６に示すように、排水弁装置２８は、貯水タンク２２の外部に取り付けられた操作レバー４２と、一端が操作レバー４２に取り付けられ、他端が貯水タンク２２内まで延びて操作レバー４２の操作により回転する回転軸４４を備えている。
ここで、本実施形態では、一例として、操作レバー４２及び回転軸４４については、使用者が操作レバー４２を直接回転操作して回転軸４４を回転させるような手動式の操作形態について説明するが、このような形態に限定されず、操作レバー４２及び回転軸４４を回転させるためのモータ等の駆動手段を設け、外部に設定された操作ボタン（図示せず）又は人感センサー（図示せず）からの指令信号によって駆動手段の作動を自動的に制御するような操作形態にしてもよい。
【００２７】
また、回転軸４４の他端には、回転軸４４の回転と共に回転軸４４の中心軸線４４ａを中心に回転する玉鎖引き上げ部材４６が回転軸４４と一体的に取り付けられている。
この玉鎖引き上げ部材４６においては、回転軸４４の中心軸線４４ａに対して一方の側には、回転軸４４の回転により上下動するようになっている第１玉鎖４８が取り付けられる第１玉鎖取付部４６ａが設けられ、回転軸４４の中心軸線４４ａに対して他方の側には、回転軸４４の回転により上下動するようになっている第２玉鎖５０が取り付けられる第２玉鎖取付部４６ｂが設けられている。
【００２８】
また、第１玉鎖４８及び第２玉鎖５０のそれぞれの下端は、後述するフロート部材５２の第１玉鎖取付部５２ａ及び第２玉鎖取付部５２ｂのそれぞれに取り付けられている。
さらに、玉鎖引き上げ部材４６において、第２玉鎖取付部４６ｂから操作レバー４２側に隣接した所定位置に、回転軸４４の回転により上下動するようになっている第３玉鎖５４が取り付けられる第３玉鎖取付部４６ｃが設けられており、第３玉鎖５４の下端は、後述する切替弁５６の第３玉鎖取付部５６ａに取り付けられている。
【００２９】
また、図７（ｂ）及び図８（ｂ）に示すように、操作レバー４２を一方に回動させると、玉鎖引き上げ部材４６が回転軸４４と共に所定方向に回動し、第２玉鎖５０及び第３玉鎖５４が弛んだ状態で第１玉鎖４８のみが玉鎖引き上げ部材４６によって引き上げられ、切替弁５６が開弁した状態のままフロート部材５２と共に後述する弁体８４が上昇し、後述する便器の大洗浄モードによる排水が開始されるようになっている。
一方、図７（ｃ）及び図９（ｂ）に示すように、操作レバー４２を他方に回動させると、第１玉鎖４８が弛んだ状態で第２玉鎖５０及び第３玉鎖５４が玉鎖引き上げ部材４６によって引き上げられ、フロート部材５２及び弁体８４が上昇すると共に切替弁５６が閉弁し、後述する便器の小洗浄モードによる排水が開始されるようになっている。
【００３０】
また、図３及び図７（ａ）〜（ｃ）に示すように、回転軸４４の中心軸線４４ａは、後述する排水弁ユニット５８の中心軸線５８ａを通過し、玉鎖引き上げ部材４６の第１玉鎖取付部４６ａと第２玉鎖取付部４６ｂとの間隔は、フロート部材５２の第１玉鎖取付部５２ａと第２玉鎖取付部５２ｂとの間隔とほぼ同一となるように設定されている。
【００３１】
排水弁装置２８は、図６に示すように、貯水タンク２２の底面に取り付けられ、便器本体２の導水路６に連通する排水口２２ａを形成する排水口ユニット６０と、この排水口ユニット６０の上端に取り付けられた排水弁ユニット５８と、排水口ユニット６０に上方から着脱可能に取り付けられた筒体６２を備えている。
【００３２】
図６に示すように、排水弁装置２８の排水口ユニット６０は、貯水タンク２２の底面の所定位置に取り付けられて排水口２２ａを形成する排水口形成部材６４を備えている。
この排水口形成部材６４の下端部は、貯水タンク２２の底面を貫き、シール部材６６を介して締結部材６８によって締結され、排水口形成部材６４が貯水タンク２２の底面に固定されている。
【００３３】
また、排水口形成部材６４は、排水口２２ａの上縁を形成する排水口上縁部７０を備え、この排水口上縁部７０の外周の所定の対角位置には、筒体６２が上方から着脱可能に取り付けられる筒体取付用の保持突起７２が形成されている。
さらに、排水口形成部材６４の上端開口部７４の外周の所定の対角位置には、後述する排水弁ユニット６０の制御筒７６が上方から着脱可能に取り付けられる制御筒取付用の保持突起７８が形成されている。
また、排水口形成部材６４は、排水口上縁部７０と上端開口部７４との間に円周方向に沿って所定間隔を置いて上下方向に延びる複数のリブ８０を備え、これらのリブ８０により、制御筒７６の外側の洗浄水を排水口２２ａへ流入させるための複数の連通口８２が形成されている。
【００３４】
つぎに、図６に示すように、排水弁装置２８の排水弁ユニット５８は、弁体８４と、オーバーフロー管４０と、制御筒７６と、フロート部材５２と、オーバーフロー管取付部材８６と、リフィール管取付部材８８を備えている。
【００３５】
弁体８４は、シートパッキン等のシール部材からなり、図６に示すように、オーバーフロー管４０の下端部に円周方向に沿って形成され且つ半径方向内側に向って凹溝状に形成された弁体保持部４０ａにはめ込まれて固着され、オーバーフロー管４０と共に上下動して、排水口２２ａを開閉する排水弁として機能するようになっている。
【００３６】
制御筒７６は、この弁体８４の上下動を制御するものとして機能するようになっており、洗浄水を貯水すると共にその貯水された洗浄水を所定の小さな流量で排出する小穴７６ａが形成されたほぼ円筒状の貯水部７６ｂと、この貯水部７６ｂの底部の中央から上方に延びたほぼ円筒状のガイド部７６ｃと、貯水部７６ｂの下端部に形成されて排水口ユニット６０の排水口形成部材６４の制御筒取付用保持突起７８に係合される１つ又は複数の係合溝７６ｄを備えている。この係合溝７６ｄは、ほぼＬ字形の鍵穴状の溝を形成し、制御筒取付用保持突起７８を下方から挿入可能した後、係合溝７６ｄを水平方向に移動させることにより制御筒取付用保持突起７８に係止可能となっている。
【００３７】
また、フロート部材５２は、薄肉でほぼ円環状に形成して制御筒７６の貯水部７６の内周側且つガイド部７６ｃの外周側に収容されるフロート部５２ｃと、このフロート部５２ｃの下端に取り付かれた底部５２ｄを備え、フロート部５２ｃの内側と底部５２ｄによって内部空間が形成されている。これらのフロート部５２ｃ及び底部５２ｄは、制御筒７６の貯水部７６内に洗浄水が貯水されている状態では、浮力作用により制御筒７６の貯水部７６内に浮かんだ状態で収容されており、制御筒７６の貯水部７６内の洗浄水の水位の低下に伴って、制御筒７６のガイド部７６ｃにガイドされて下降するようになっている。
さらに、フロート部材５２は、フロート部５２ｃの上端に固定されて所定距離上方に延びた後、半径方向内側にアーチ状に延びてオーバーフロー管４０の円筒部４０ｂの上端が取り付けられるオーバーフロー管取付部５２ｅを備えている。
【００３８】
また、オーバーフロー管４０の上下方向に円筒状に延びる円筒部４０ｂは、制御筒７６のガイド部７６ｃの内周側に挿入され、上下方向に摺動可能にガイドされている。
さらに、オーバーフロー管４０の円筒部４０ｂの上端は、フロート部材５２のオーバーフロー管取付部５２ｅに取り付けられて、オーバーフロー管取付部材８６によって固定される。
このオーバーフロー管取付部材８６は、実質的には、洗浄水タンク２２内の所定水位（満水水位）を超えた洗浄水が流入するオーバーフロー管４０の上端の流入口８６ａを形成している。
また、オーバーフロー管４０の上端の流入口８６ａは、オーバーフロー管４０の管径に対して滑らかに上方且つ外側に広がるラッパ形状となっており、洗浄水タンク２２内の所定水位（満水水位）を超えた洗浄水がオーバーフロー管４０によって洗浄水タンク２２の外部へより確実に排出されるようになっている。
【００３９】
さらに、リフィール管取付部材８８が、上述したリフィール管３８の下流端が接続されるノズル部８８ａを備え、このノズル部８８ａの下端部の開口は、オーバーフロー管４０の流入口８６ａの上方に位置している。
【００４０】
つぎに、図６に示すように、筒体６２は、横断面形状がほぼ矩形状に形成されて上方が開放された筒体本体９０を備えている。この筒体本体９０の下端部は、排水口ユニット６０の排水口形成部材６４を上下方向に挿入可能な開口を形成し、筒体本体９０の下端部の周縁には、筒体本体９０をその中心軸線（排水弁ユニット５８の中心軸線５８ａに相当）を中心に回転させることにより、排水口ユニット６０の排水口形成部材６４の筒体取付用保持突起７２に着脱可能な１つ又は複数の係合溝９０ａが設けられている。
この係合溝９０ａは、ほぼＬ字形の鍵穴状の溝を形成し、筒体取付用保持突起７２を下方から挿入可能した後、係合溝９０ａを水平方向に移動させることにより筒体取付用保持突起７２に係止可能となっている。
【００４１】
また、筒体本体９０の係合溝９０ａが排水口ユニット６０の排水口形成部材６４の筒体取付用保持突起７２に係合された状態では、筒体本体９０の側壁９０ｂが排水口ユニット６０及び制御筒７６の一部を取り囲むように洗浄水タンク２２の底面から上方に延びており、この筒体本体９０の操作レバー４２側の側壁９０ｂには、この側壁９０ｂを貫く洗浄モード切替用の開口部９０ｃが形成されている。
【００４２】
さらに、筒体本体９０の操作レバー４２側の側壁９０ｂには、開口部９０ｃを開閉可能とする切替弁５６が取り付けられており、この切替弁５６には、錘５６ｂが取り付けられている。そして、切替弁５６が開口部９０ｃを開放した状態では、大洗浄モードによる排水が行われ、切替弁５６が開口部９０ｃを閉鎖した状態では、小洗浄モードによる排水が行われるようになっている。
【００４３】
また、筒体本体９０の開口部９０ｃが形成された側壁９０ｂと対向する側壁には、流量調節用の開口部９０ｄが形成され、この開口部９０ｄには、流量調節用のスライド部材９０ｅが上下方向にスライド可能に取り付けられており、このスライド部材９０ｅを上下方向にスライドさせて開口部９０ｄの開口面積を調節することにより、小洗浄モードにおける筒体本体９０へ流入する洗浄水の流量を調節することができ、洗浄水タンク２２の外部へ流出される洗浄水の量を調節することができるようになっている。
なお、本実施形態においては、スライド部材９０ｅが開口部９０ｄにスライド可能に取り付けられ、スライド部材９０ｅをスライドさせることにより開口部９０ｄの開口面積を調節するような形態について説明しているが、このような形態に限定されず、開口部９０ｄの開口面積に応じて開口部９０ｄに着脱可能に取り付けた部材を着脱することにより、開口部９０ｄの開口面積を調節するようにしてもよい。
【００４４】
さらに、図４に示すように、制御筒７６の係合溝７６ｄが排水口ユニット６０の排水口形成部材６４の制御筒取付用保持突起７８に係合され、且つ筒体本体９０の係合溝９０ａが排水口ユニット６０の排水口形成部材６４の筒体取付用保持突起７２に係合された状態において、制御筒７６の底部から排水口２２ａまで延びた排水口形成部材６４の側面に形成された複数の連通口８２は、筒体本体９０の内部と排水口２２ａとを連通させる連通口となっており、筒体本体９０の洗浄モード切替用の開口部９０ｃは、これらの連通口８２の上端以下の高さ位置に配置されている。
【００４５】
また、図８（ｂ）及び図９（ｂ）に示すように、大洗浄モード及び小洗浄モードによる排水開始直後の排水弁ユニット５８の弁体８４は、制御筒７６の底部に当接する所定の最高高さ位置まで上昇するようになっているが、この弁体８４の最高高さ位置は、筒体本体９０の洗浄モード切替用の開口部９０ｃの上端以上の高さ位置に設定されている。
【００４６】
さらに、図４に示すように、制御筒７６の貯水部７６ｂの小穴７６ａについても、筒体本体９０の洗浄モード切替用の開口部９０ｃの上端以上の高さ位置に設定されている。
【００４７】
また、図４及び図５に示すように、弁体８４が固着されたオーバーフロー管４０の弁体保持部４０ａの下端部は、排水口２２ａの上方に対向するように位置し、上方から下方に向って窄まるように縮径する曲がり面４０ｃを形成している。すなわち、この曲がり面４０ｃを形成する部分の図４及び図５に示す縦方向断面の輪郭は、上方から下方に向って内側に凸とするほぼ円弧状となっている。
【００４８】
さらに、図４及び図５に示すように、排水口形成部材６４によって形成される排水口２２ａについても、弁体保持部４０ａの下端部の曲がり面４０ｃと対向する面が、下方へ延びる内周面に沿って縮径する曲がり面となる流路面６４ａを形成している。すなわち、この流路面６４ａを形成する部分の図４及び図５に示す縦方向断面の輪郭は、上方から下方に向って内側に凸とするほぼ円弧状となっている。
【００４９】
つぎに、本発明の第１実施形態による排水弁装置及びそれを備えた洗浄水タンク装置の動作（作用）を説明する。
まず、図７（ａ）及び（ｂ）と図８（ａ）〜（ｄ）により、本発明の第１実施形態による洗浄水タンク装置により実行される２種類の洗浄モードのうちの大洗浄モードについて説明する。
なお、以下で説明する大洗浄及び小洗浄の各洗浄モードでは、いずれも、筒体本体９０の流量調節用の開口部９０ｄが流量調節用のスライド部材９０ｅによって閉鎖した状態の例について説明する。
【００５０】
まず、図７（ａ）及び図８（ａ）に示されるような大洗浄モードにおける排水が開始される前の状態の排水弁装置２８においては、玉鎖引き上げ部材４６の第１玉鎖取付部４６ａ及び第２玉鎖取付部４６ｂと、フロート部材５２の第１玉鎖取付部５２ａ及び第２玉鎖取付部５２ｂとは、それぞれ上下方向に対向しており、第１玉鎖４８及び第２玉鎖５０は、共に上下方向にほぼ直線状に伸ばされた状態となっている。
また、図７（ａ）に示すように、切替弁５６については、錘５６ｂを加えた切替弁５６自体の自重により、筒体本体９０の洗浄モード切替用の開口部９０ｃを開放した状態となっている。
このとき、貯水タンク２２内の水位は、満水時の止水水位ＷＬ０となり、制御筒７６の上端よりも上方且つオーバーフロー管４０の流入口８６ａよりも下方に位置しており、筒体本体９０の内部及び制御筒７６の貯水部７６ｂの内部は、洗浄水で満たされている。
【００５１】
つぎに、図７（ｂ）及び図８（ｂ）に示すように、大洗浄モードにおける排水が開始された直後の状態の排水弁装置２８においては、使用者が操作レバー４２を手前側（正面側）に所定角度（例えば、９０度）回転させると、玉鎖引き上げ部材４６が回転軸４４と共に回動し、玉鎖引き上げ部材４６の第２玉鎖取付部４６ｂが第１玉鎖取付部４６ａよりも下方に位置し、玉鎖引き上げ部材４６の第２玉鎖取付部４６ｂとフロート部材５２の第２玉鎖取付部５２ｂとの相対距離が、図７（ａ）に示す排水開始前の状態よりも近づき、第２玉鎖５０が弛んだ状態となる。
【００５２】
また、図７（ｂ）に示すように、玉鎖引き上げ部材４６の第３玉鎖取付部４６ｃと切替弁５６の第３玉鎖取付部５６ａとの相対距離についても、図７（ａ）に示す排水開始前の状態よりも近づいているため、第３玉鎖５４も弛んだ状態となり、切替弁５６が筒体本体９０の開口部９０ｃを開放したままの状態となる。
【００５３】
一方、図７（ｂ）に示すように、玉鎖引き上げ部材４６の第１玉鎖取付部４６ａの位置は、図７（ａ）に示す排水開始前の状態よりも上昇するため、第１玉鎖４８のみが玉鎖引き上げ部材４６の第１玉鎖取付部４６ａによって引き上げられることにより、フロート部材５２が上昇し、このフロート部材５２の上昇と共に、オーバーフロー管４０及び弁体８４が一体的に上昇する。
このとき、弁体８４は、制御筒７６の底部に当接し、筒体本体９０の開口部９０ｃの上端以上の高さ位置となる最高高さ位置に位置し、引き上げが完了した状態となっており、切替弁５６が筒体本体９０の開口部９０ｃを開放したままの状態で、排水口２２ａが開放され、排水が開始される。
【００５４】
また、貯水タンク２２内の筒体本体９０の外側の領域の洗浄水は、切替弁５６によって開放された開口部９０ｃから筒体本体９０内に流入し、制御筒７６の貯水部７６ｂ内の洗浄水は、小穴７６ａから筒体本体９０内に流入する。そして、筒体本体９０内の洗浄水は、排水口ユニット６０の連通口８２を通過し、排水口２２ａから便器本体２の導水路６に排出され、貯水タンク２２内の水位ＷＬ１は、図８（ｂ）に示すように、排水によって満水時の止水水位ＷＬ０よりも低下し、例えば、筒体本体９０の上端よりも上方且つ制御筒７６の上端よりも下方に位置している。
しかしながら、筒体本体９０の外側の領域から連通口８２を経て排水口２２ａに流れ込む流速は、制御筒７６の貯水部７６ｂ内から小穴７６ａを経て筒体本体９０内に流入する流速よりも速いため、制御筒７６の貯水部７６ｂ内の水位ＷＬ１’は、貯水タンク２２内の水位ＷＬ１よりも高く且つ止水水位ＷＬ０よりも低い状態となる。
【００５５】
つぎに、図８（ｃ）に示すように、大洗浄モードにおける排水途中の状態の排水弁装置２８においては、図８（ｂ）に示す第１玉鎖４８、フロート部材５２及び弁体８４の引き上げが完了した直後に操作レバー４２が初期位置に戻されているため、フロート部材５２が、制御筒７６の貯水部７６ｂ内の洗浄水よって与えられる浮力によって浮いた状態となっており、第１玉鎖４８及び第２玉鎖５０が弛んだ状態となっている。
そして、貯水タンク２２内の水位が、図８（ｂ）に示す水位ＷＬ１から時間と共に低下し、筒体本体９０の上端に達した後は、貯水タンク２２内と筒体本体９０内が開口部９０ｃで連通しているため、貯水タンク２２内の水位と筒体本体９０内の水位が同一の水位ＷＬ２で低下し、この水位ＷＬ２が時間と共に制御筒７６の貯水部７６ｂの小穴７６ａの上端よりも低下すると、制御筒７６の貯水部７６ｂの小穴７６ａから流出する貯水部７６ｂ内の洗浄水の流量に応じた所定の速度で制御筒７６の貯水部７６ｂ内の水位ＷＬ２’が低下し始める。
また、図８（ｃ）に示す制御筒７６の貯水部７６ｂ内の水位ＷＬ２’の低下に伴ってフロート部材５２も下降し、このフロート部材５２の下降に連動してオーバーフロー管４０及び弁体８４も、フロート部材５２の下降速度と同じ速度で下降する。
【００５６】
つぎに、図８（ｄ）に示すように、大洗浄モードにおける排水終了時の排水弁装置２８においては、図８（ｃ）に示す制御筒７６の貯水部７６ｂ内の水位ＷＬ２’がフロート部材５２に浮力を与えない水位（すなわち、ＷＬ２’がほぼ零）まで低下して、フロート部５２ｃの底部５２ｄが貯水部７６ｂの底部に到達したとき、弁体８４が排水口２２ａを閉鎖し、排水が終了する。
このとき、貯水タンク２２内と筒体本体９０内の水位は、図８（ｃ）に示す水位ＷＬ２よりも低い死水水位ＤＷＬとなる。
このとき、玉鎖引き上げ部材４６の第１玉鎖取付部４６ａ及び第２玉鎖取付部４６ｂとフロート部材５２の第１玉鎖取付部５２ａ及び第２玉鎖取付部５２ｂは、図７（ａ）に示すように、それぞれが再び上下方向に対向し、第１玉鎖４８及び第２玉鎖５０の双方が上下方向にほぼ直線状に伸ばされた状態となる。
【００５７】
つぎに、図７（ａ）及び（ｃ）と図９（ａ）〜（ｄ）により、本発明の第１実施形態による洗浄水タンク装置により実行される小洗浄モードについて説明する。
まず、図７（ａ）及び図９（ａ）に示されるような小洗浄モードにおける排水が開始される前の状態の排水弁装置２８においては、上述した図８（ａ）に示されている大洗浄モードの場合と同様であるため、説明は省略する。
【００５８】
つぎに、図７（ｃ）及び図９（ｂ）に示すように、小洗浄モードにおける排水が開始された直後の状態の排水弁装置２８においては、使用者が操作レバー４２を奥側（背面側）に所定角度（例えば、９０度）回転させると、玉鎖引き上げ部材４６が回転軸４４と共に回動し、玉鎖引き上げ部材４６の第１玉鎖取付部４６ａが第２玉鎖取付部４６ｂよりも下方に位置し、玉鎖引き上げ部材４６の第１玉鎖取付部４６ａとフロート部材５２の第１玉鎖取付部５２ａとの相対距離が、図７（ａ）に示す排水開始前の状態よりも近づき、第１玉鎖４８が弛んだ状態となる。
【００５９】
一方、図７（ｃ）及び図９（ｂ）に示すように、玉鎖引き上げ部材４６の第２玉鎖取付部４６ｂの位置は、図７（ａ）に示す排水開始前の状態よりも上昇するため、第２玉鎖５０が玉鎖引き上げ部材４６の第２玉鎖取付部４６ｂによって引き上げられることにより、フロート部材５２が上昇し、このフロート部材５２の上昇と共に、オーバーフロー管４０及び弁体８４が一体的に上昇する。
同時に、第３玉鎖５４についても、玉鎖引き上げ部材４６の第３玉鎖取付部４６ｃによって引き上げられ、切替弁５６の第３玉鎖取付部５６ｂも上方に引き上げられて筒体本体９０の開口部９０ｃが切替弁５６によって閉鎖される。
このとき、弁体８４は、制御筒７６の底部に当接し、筒体本体９０の開口部９０ｃの上端以上の高さ位置となる最高高さ位置に位置し、引き上げが完了した状態となっており、切替弁５６が筒体本体９０の開口部９０ｃを閉鎖した状態で、排水口２２ａが開放され、排水が開始される。
【００６０】
また、図９（ｂ）に示すように、排水開始後、筒体本体９０の内部の洗浄水が筒体本体９０の外部の洗浄水よりも先に排水口２２ａから排出されるため、筒体本体９０の内部を流れる洗浄水の流速が、筒体本体９０の外部を流れる洗浄水の流速より相対的に大きくなり、切替弁５６の外側の水圧が内側の水圧よりも高くなり、切替弁５６の内外で水圧の差圧が生じる。そして、この差圧により、切替弁５６には、筒体本体９０の開口部９０ｃを閉鎖する方向の力Ｆが加わるため、切替弁５６が閉弁状態に保持される。
【００６１】
さらに、図９（ｂ）に示すように、貯水タンク２２内の筒体本体９０の外側の領域の洗浄水は、切替弁５６によって閉鎖された開口部９０ｃから筒体本体９０内に流入することなく、筒体本体９０の上方からのみ筒体本体９０内に流入し、制御筒７６の貯水部７６ｂ内の洗浄水は、小穴７６ａから筒体本体９０内に流入する。
そして、筒体本体９０内の洗浄水は、排水口ユニット６０の連通口８２を通過し、排水口２２ａから便器本体２の導水路６に排出され、貯水タンク２２内の水位ＷＬ３は、図９（ｂ）に示すように、排水によって満水時の止水水位ＷＬ０よりも低下し、例えば、筒体本体９０の上端よりも上方且つ制御筒７６の上端よりも下方に位置している。
しかしながら、筒体本体９０の外側の領域から連通口８２を経て排水口２２ａに流れ込む流速は、制御筒７６の貯水部７６ｂ内から小穴７６ａを経て筒体本体９０内に流入する流速よりも速いため、制御筒７６の貯水部７６ｂ内の水位ＷＬ３’は、貯水タンク２２内の水位ＷＬ３よりも高く且つ止水水位ＷＬ０よりも低い状態となる。
【００６２】
つぎに、図９（ｃ）に示すように、小洗浄モードにおける排水途中の状態の排水弁装置２８においては、図９（ｂ）に示す第２玉鎖５０、第３玉鎖５４、フロート部材５２及び弁体８４の引き上げが完了した直後に操作レバー４２が初期位置に戻されているため、フロート部材５２が、制御筒７６の貯水部７６ｂ内の洗浄水よって与えられる浮力によって浮いた状態となっており、第１玉鎖４８、第２玉鎖５０及び第３玉鎖５４が弛んだ状態となっている。
しかしながら、第３玉鎖５４が弛んでいても、上述した切替弁５６の内外で水圧の差圧によって切替弁５６に筒体本体９０の開口部９０ｃを閉鎖する方向の力Ｆが加わった状態となっているため、切替弁５６が閉弁状態に保持されている。
【００６３】
また、図９（ｃ）に示すように、貯水タンク２２内の水位ＷＬ４が、図９（ｂ）に示す水位ＷＬ３から時間と共に低下し、筒体本体９０の上端に付近まで低下した時点で、筒体本体９０内の洗浄水が急激に連通口８２を経て排水口２２ａから排出されるようになる。
さらに、筒体本体９０内の水位ＷＬ４”が時間と共に制御筒７６の貯水部７６ｂの小穴７６ａの上端よりも低下すると、制御筒７６の貯水部７６ｂの小穴７６ａから流出する貯水部７６ｂ内の洗浄水の流量に応じた所定の速度で制御筒７６の貯水部７６ｂ内の水位ＷＬ４’が低下し始める。
また、図９（ｃ）に示す制御筒７６の貯水部７６ｂ内の水位ＷＬ４’の低下に伴ってフロート部材５２も下降し、このフロート部材５２の下降に連動してオーバーフロー管４０及び弁体８４も、フロート部材５２の下降速度と同じ速度で下降する。
さらに、図９（ｂ）と同様に、切替弁５６の内外で水圧の差圧によって切替弁５６に筒体本体９０の開口部９０ｃを閉鎖する方向の力Ｆが加わった状態となっているため、切替弁５６が閉弁状態に保持されている。
【００６４】
つぎに、図９（ｄ）に示すように、小洗浄モードにおける排水終了時の排水弁装置２８においては、制御筒７６の貯水部７６ｂ内の水位ＷＬ５’がフロート部材５２に浮力を与えない水位（すなわち、ＷＬ５’がほぼ零）まで低下して、フロート部５２ｃの底部５２ｄが貯水部７６ｂの底部に到達したとき、弁体８４が排水口２２ａを閉鎖し、排水が終了する。
このとき、貯水タンク２２内の水位ＷＬ５は、図９（ｃ）に示す水位ＷＬ４と同一であり、実質的な貯水タンク２２内の死水水位ＤＷＬ’となる。
一方、筒体本体９０内の水位ＷＬ５”は、図９（ｃ）に示すＷＬ４”よりも低下し、実質的な筒体本体９０内の死水水位ＤＷＬ”となる。
また、玉鎖引き上げ部材４６の第１玉鎖取付部４６ａ及び第２玉鎖取付部４６ｂとフロート部材５２の第１玉鎖取付部５２ａ及び第２玉鎖取付部５２ｂは、図７（ａ）に示すように、それぞれが再び上下方向に対向し、第１玉鎖４８、第２玉鎖５０及び第３玉鎖５４が上下方向にほぼ直線状に伸ばされた状態となる。
さらに、図９（ｂ）及び（ｃ）と同様に、切替弁５６の内外で水圧の差圧によって切替弁５６に筒体本体９０の開口部９０ｃを閉鎖する方向の力Ｆが加わった状態となっているため、切替弁５６が閉弁状態に保持されている。
【００６５】
このように、小洗浄モードにおいて、排水開始後、切替弁５６が筒体本体９０の開口部９０ｃを閉鎖した状態に保持されるため、排水口２２ａから排出される洗浄水の流量は、大洗浄モードの場合に比べて、貯水タンク２２の洗浄水が筒体本体９０の外側から開口部９０ｃを通過して排水口２２ａから排出される洗浄水の流量分だけ少なくなる。
【００６６】
上述した本発明の第１実施形態による排水弁装置２８及びそれを備えた洗浄水タンク装置１８によれば、大洗浄モードによる水洗便器１の洗浄を行う場合には、使用者が操作レバー４２を手前側（正面側）に所定角度（例えば、９０度）回転させて回転軸４４を所定の回転方向に回転操作すると、図７（ｂ）に示すように、玉鎖引き上げ部材４６の第１玉鎖取付部４６ａの位置が、図７（ａ）に示す排水開始前の状態よりも上昇する。そして、第２玉鎖５０及び第３玉鎖５４が弛んだ状態で、第１玉鎖４８のみが玉鎖引き上げ部材４６の第１玉鎖取付部４６ａによって引き上げられ、フロート部材５２が上昇し、このフロート部材５２の上昇と共に、オーバーフロー管４０及び弁体８４が一体的に上昇し、切替弁５６が筒体本体９０の開口部９０ｃを開放したままの状態で、排水口２２ａが開放され、大洗浄モードによる排水が実行される。
【００６７】
一方、小洗浄モードによる水洗便器１の洗浄を行う場合には、使用者が操作レバー４２を奥側（背面側）に所定角度（例えば、９０度）回転させて回転軸４４を所定の回転方向に回転操作すると、図７（ｃ）に示すように、玉鎖引き上げ部材４６の第２玉鎖取付部４６ｂ及び第３玉鎖取付部４６ｃの位置が、図７（ａ）に示す排水開始前の状態よりも上昇する。そして、第１玉鎖４８が弛んだ状態で、第２玉鎖５０及び第３玉鎖５４のそれぞれが玉鎖引き上げ部材４６の第２玉鎖取付部４６ｂ及び第３玉鎖取付部４６ｃのそれぞれによって引き上げられ、フロート部材５２が上昇し、このフロート部材５２の上昇と共に、オーバーフロー管４０及び弁体８４が一体的に上昇し、切替弁５６が筒体本体９０の開口部９０ｃを閉鎖した状態で、排水口２２ａが開放され、小洗浄モードによる排水が実行される。
この際、回転軸４４の中心軸線４４ａは、排水弁ユニット５８の中心軸線５８ａを通過し、玉鎖引き上げ部材４６の第１玉鎖取付部４６ａと第２玉鎖取付部４６ｂとの間隔は、フロート部材５２の第１玉鎖取付部５２ａと第２玉鎖取付部５２ｂとの間隔とほぼ同一となるように設定されているため、大洗浄モードと小洗浄モードのそれぞれの場合における弁体８４及びオーバーフロー管４０の上下動のストロークが等しくなる。
【００６８】
したがって、例えば、陶器で製造された外装タンク２０及び貯水タンク２２の製造誤差によって、回転軸４４と排水弁ユニット５８との相対位置にずれが生じたとしても、大洗浄モードと小洗浄モードのそれぞれの場合における弁体８４及びオーバーフロー管４０の上下動に伴うストロークのずれを抑制することができる。
また、弁体８４及びオーバーフロー管４０が上下動する際に、弁体８４及びオーバーフロー管４０の中心軸５８ａ回りの回転を低減させることができ、弁体８４が排水口２２ａに着座する位置が止水動作毎に平面内で生ずるずれが抑制することにより、シートパッキン等のシール部材からなる弁体８４の着座面にひずみが生じて止水不良に至ることを防ぐことができる。
【００６９】
さらに、本実施形態による排水弁装置２８及びそれを備えた洗浄水タンク装置１８によれば、大洗浄モードによる水洗便器１の洗浄を行う場合、フロート部材５２、オーバーフロー管４０及び弁体８４を一体的に上昇させ、切替弁５６が筒体本体９０の開口部９０ｃを開放したままの状態で、排水口２２ａが開放されると、貯水タンク２２内の筒体本体９０の外側の洗浄水は、筒体本体９０の開口部９０ｃから筒体本体９０内に流入し、排水弁ユニット５８の制御筒７６から排水口２２ａまで延びた排水口ユニット６０の排水口形成部材６４の側面に形成された連通口８２を通過して、排水口２２ａへと流れる。
この際、筒体本体９０の開口部９０ｃが、排水口形成部材６４の連通口８２の上端以下の高さ位置に配置されているため、貯水タンク２２内の筒体本体９０の外側の洗浄水が筒体本体９０の開口部９０ｃから筒体本体９０内に流入した状態では、筒体本体９０の開口部９０ｃが連通口８２の上端よりも上方の高さ位置に配置されている場合よりも、洗浄水の流れの勢いが弱められた状態となる。
したがって、このような流れの勢いが弱められた洗浄水により、開弁状態の排水弁ユニット５８の弁体８４を閉鎖する方向に押し下げる力も弱められるため、洗浄水の流れによる排水弁ユニット５８の弁体８４の早閉まりを防ぐことができる。この結果、排水弁ユニット５８の弁体８４の閉鎖後に貯水タンク２２内に残される洗浄水の死水水位ＤＷＬを安定させることができ、水洗便器１の安定した洗浄を行うことができる。
【００７０】
また、本実施形態による排水弁装置２８及びそれを備えた洗浄水タンク装置１８によれば、大洗浄モードによる水洗便器１の洗浄を行う場合、フロート部材５２、オーバーフロー管４０及び弁体８４を一体的に上昇させ、切替弁５６が筒体本体９０の開口部９０ｃを開放したままの状態で、排水口２２ａが開放されると、排水弁ユニット５８の弁体８４が上昇した所定の最高高さ位置が、筒体本体９０の開口部９０ｃの上端以上の高さ位置に設定されているため、貯水タンク２２内の筒体本体９０の外側から筒体本体９０の開口部９０ｃを経て筒体本体９０内に流入した洗浄水により、開弁状態の排水弁ユニット５８の弁体８４が閉鎖する方向に押し下げられることをより効果的に防ぎ、洗浄水の流れによる排水弁ユニット５８の弁体８４の早閉まりをより効果的に防ぐことができる。
【００７１】
さらに、本実施形態による排水弁装置２８及びそれを備えた洗浄水タンク装置１８によれば、大洗浄モードによる水洗便器１の洗浄を行う場合、フロート部材５２、オーバーフロー管４０及び弁体８４を一体的に上昇させ、切替弁５６が筒体本体９０の開口部９０ｃを開放したままの状態で、排水口２２ａが開放されると、排水弁ユニット５８の制御筒７６の貯水部７６ｂの小穴７６ａが、筒体本体９０の開口部９０ｃの上端以上の高さ位置に配置されているため、この制御筒７６の貯水部７６ｂの小穴７６ａから排出される洗浄水が、貯水タンク２２内の筒体本体９０の外側から筒体本体９０の開口部９０ｃを経て筒体本体９０内に流入した洗浄水の影響を受けることがなく、制御筒７６の貯水部７６ｂ内の水位が安定して低下するため、フロート部材５２及びこれに取り付けられているオーバーフロー管４０を安定して下降させることができると共に、排水弁ユニット５８の弁体８４を安定して下降させることができる。
【００７２】
さらに、本実施形態による排水弁装置２８及びそれを備えた洗浄水タンク装置１８によれば、排水弁ユニット５８の弁体８４が固着されたオーバーフロー管４０の弁体保持部４０ａの下端部が、排水口２２ａの上方に対向するように位置し、上方から下方に向って窄まるように縮径する曲がり面４０ｃを形成しているため、排水弁ユニット５８の弁体８４が開弁され、貯水タンク２２内の洗浄水が、弁体保持部４０ａの下端部を通過する際に、洗浄水が弁体保持部４０ａの下端部の曲がり面４０ｃに沿って滑らかに流れて排水口２２ａから排出される。したがって、弁体保持部４０ａの下端部を通過する洗浄水の圧力損失を低減させることができ、水洗便器１の洗浄性能を向上させることがきる。
【００７３】
さらに、本実施形態による排水弁装置２８及びそれを備えた洗浄水タンク装置１８によれば、排水弁ユニット５８の弁体８４が固着されたオーバーフロー管４０の弁体保持部４０ａの下端部と対向する排水口２２ａの面が下方へ延びる内周面に沿って縮径する流路面６４ａを形成することにより、排水弁ユニット５８の弁体８４が開弁され、貯水タンク２２内の洗浄水が、排水口２２ａから便器本体２の導水路６に排出される際に、排水口２２ａの下方へ延びる内周面に沿って縮径する流路面６４ａに沿って滑らかに流れて排出される。したがって、排水口２２ａを通過する洗浄水の圧力損失を低減させることができ、水洗便器１の洗浄性能を向上させることがきる。
【００７４】
つぎに、図１０により、本発明の第２実施形態による排水弁装置及びそれを備えた洗浄水タンク装置について説明する。
図１０（ａ）は、本発明の第２実施形態による洗浄水タンク装置の閉弁時の排水弁装置を示す断面図であり、図１０（ｂ）は、本発明の第２実施形態による洗浄水タンク装置の大洗浄モードにおける排水開始時の状態の排水弁装置を示す断面図であり、図１０（ｃ）は、本発明の第２実施形態による洗浄水タンク装置の小洗浄モードにおける排水開始時の状態の排水弁装置を示す断面図である。
ここで、図１０（ａ）〜（ｃ）に示す本発明の第２実施形態による排水弁装置において、図７（ａ）〜（ｃ）に示す第１実施形態による排水弁装置の部分と同一の部分について同一の符号を付し、それらの説明は省略する。
【００７５】
図１０（ａ）〜（ｃ）に示すように、本発明の第２実施形態による排水弁装置１００においては、玉鎖引き上げ部材４６の第１玉鎖取付部４６ａと第２玉鎖取付部４６ｂとの間隔が、フロート部材５２の第１玉鎖取付部５２ａと第２玉鎖取付部５２ｂとの間隔とほぼ同一となるように設定されている構成については、図７（ａ）〜（ｃ）に示されている上述した本発明の第１実施形態による排水弁装置２８の構成と同一である。
【００７６】
しかしながら、本実施形態の排水弁装置１００の操作レバー４２の回転軸４４の中心軸線４４ａが、排水弁ユニット５８の中心軸線５８ａを通過することなく、両中心軸４４ａ，５８ａが互いにずらされた状態で設定されている構成については、図３及び図７（ａ）〜（ｃ）に示す回転軸４４の中心軸線４４ａが排水弁ユニット５８の中心軸線５８ａを通過するように設定されている本発明の第１実施形態による排水弁装置２８の構成とは異なっている。
【００７７】
上述した本発明の第２実施形態による排水弁装置１００によれば、大洗浄モードによる水洗便器１の洗浄を行う場合には、使用者が操作レバー４２を手前側（正面側）に所定角度（例えば、９０度）回転させて回転軸４４を所定の回転方向に回転操作すると、図１０（ｂ）に示すように、玉鎖引き上げ部材４６の第１玉鎖取付部４６ａの位置が、図１０（ａ）に示す排水開始前の状態よりも上昇する。そして、第２玉鎖５０及び第３玉鎖５４が弛んだ状態で、第１玉鎖４８のみが玉鎖引き上げ部材４６の第１玉鎖取付部４６ａによって引き上げられ、フロート部材５２が上昇し、このフロート部材５２の上昇と共に、オーバーフロー管４０及び弁体８４が一体的に上昇し、切替弁５６が筒体本体９０の開口部９０ｃを開放したままの状態で、排水口２２ａが開放され、大洗浄モードによる排水が実行される。
一方、小洗浄モードによる水洗便器１の洗浄を行う場合には、使用者が操作レバー４２を奥側（背面側）に所定角度（例えば、９０度）回転させて回転軸４４を所定の回転方向に回転操作すると、図１０（ｃ）に示すように、玉鎖引き上げ部材４６の第２玉鎖取付部４６ｂ及び第３玉鎖取付部４６ｃの位置が、図１０（ａ）に示す排水開始前の状態よりも上昇する。そして、第１玉鎖４８が弛んだ状態で、第２玉鎖５０及び第３玉鎖５４のそれぞれが玉鎖引き上げ部材４６の第２玉鎖取付部４６ｂ及び第３玉鎖取付部４６ｃのそれぞれによって引き上げられ、フロート部材５２が上昇し、このフロート部材５２の上昇と共に、オーバーフロー管４０及び弁体８４が一体的に上昇し、切替弁５６が筒体本体９０の開口部９０ｃを閉鎖した状態で、排水口２２ａが開放され、小洗浄モードによる排水が実行される。
【００７８】
ここで、操作レバー４２の回転軸４４の中心軸線４４ａが、排水弁ユニット５８の中心軸線５８ａを通過することなく、両中心軸４４ａ，５８ａが互いにずらされた状態で設定されているにもかかわらず、大洗浄モードと小洗浄モードのそれぞれの場合における弁体８４及びオーバーフロー管４０の上下動のストロークが等しくなる。
したがって、例えば、陶器で製造された外装タンク２０及び貯水タンク２２の製造誤差によって、回転軸４４と排水弁ユニット５８との相対位置にずれが生じたとしても、大洗浄と小洗浄のそれぞれの場合における弁体８４及びオーバーフロー管４０の上下動に伴うストロークのずれを抑制することができる。
また、弁体８４及びオーバーフロー管４０が上下動する際に、弁体８４及びオーバーフロー管４０の中心軸５８ａ回りの回転を低減させることができ、弁体８４が排水口２２ａに着座する位置が止水動作毎に平面内でずれが生ずることにより、シートパッキン等のシール部材からなる弁体８４の着座面にひずみが生じて止水不良に至ることを防ぐことができる。
【００７９】
つぎに、図１１Ａ〜図１１Ｃにより、本発明の第３実施形態による排水弁装置及びそれを備えた洗浄水タンク装置について説明する。
図１１Ａ〜図１１Ｃは、本発明の第３実施形態による排水弁装置において、筒体が排水弁装置に取り付けられた状態から筒体を取り外した状態に設定するまでの工程を示す工程図である。なお、図１１Ａ〜図１１Ｃにおいて、上述した本発明の第１実施形態による排水弁装置と同一部分については同一の符号を付し、それらの説明は省略する。
【００８０】
本発明の第３実施形態による排水弁装置２００においては、特に、図１１Ｃの（ｉ）に示すように、排水口ユニット６０に着脱可能に取り付けられている筒体６２が取り外されている構成が、上述した本発明の第１実施形態による排水弁装置２８の構成と異なっている。
そこで、以下、図１１Ａの（ａ）〜図１１Ｂの（ｆ）を参照して、筒体６２が排水弁装置２００に取り付けられた状態から筒体６２を取り外した状態に設定するまでの工程ついて説明する。
【００８１】
まず、図１１Ａの（ａ）に示すように、筒体６２が本実施形態の排水弁装置２００に取り付けられた状態では、筒体本体９０の係合溝９０ａが排水口ユニット６０の排水口形成部材６４の筒体取付用保持突起７２に係合し、制御筒７６の係合溝７６ｄが排水口ユニット６０の排水口形成部材６４の制御筒取付用保持突起７８に係合した状態となっている。
【００８２】
つぎに、図１１Ａの（ｂ）に示すように、筒体６２を本実施形態の排水弁装置２００から取り外す際には、まず、筒体６２を排水口ユニット６０に取り付けた状態で、排水弁ユニット５８の制御筒７６について、排水弁ユニット５８の中心軸線５８ａを中心に制御筒７６の係合溝７６ｄと排水口形成部材６４の制御筒取付用保持突起７８との水平方向の係止が解除される方向に回転させることにより、制御筒７６の係合溝７６ｄと排水口形成部材６４の制御筒取付用保持突起７８が解除される。
【００８３】
つぎに、図１１Ａの（ｃ）に示すように、図１１Ａの（ｂ）で制御筒７６の係合溝７６ｄと排水口形成部材６４の制御筒取付用保持突起７８との水平方向の係止が解除された状態の排水弁ユニット５８全体がその中心軸線５８ａの上方に向って引き上げられ、排水弁ユニット５８の制御筒７６の係合溝７６ｄが排水口ユニット６０の排水口形成部材６４の制御筒取付用保持突起７８から完全に切り離される。
なお、排水弁ユニット５８全体を上方に引き上げる際、排水弁ユニット５８の制御筒７６の上方に位置する玉鎖引き上げ部材４６が障害物とならないように、排水弁ユニット５８を排水弁装置２００から取り外す前に予め玉鎖引き上げ部材４６を回転軸４４から取り外す。
【００８４】
つぎに、図１１Ｂの（ｄ）に示すように、排水弁ユニット５８全体が排水口ユニット６０から一旦取り外されると、筒体６２のみが排水口ユニット６０に取り付けられている状態となる。
【００８５】
つぎに、図１１Ｂの（ｅ）に示すように、筒体６２の筒体本体９０について、排水弁ユニット５８の中心軸線５８ａを中心に筒体本体９０の係合溝９０ａと排水口形成部材６４の筒体取付用保持突起７２との水平方向の係止が解除される方向に回転させることにより、筒体本体９０の係合溝９０ａと排水口形成部材６４の筒体取付用保持突起７２との水平方向の係止が解除される。
【００８６】
つぎに、図１１Ｂの（ｆ）に示すように、図１１Ｂの（ｅ）で筒体本体９０の係合溝９０ａと排水口形成部材６４の筒体取付用保持突起７２との水平方向の係止が解除された状態の筒体本体９０が排水弁ユニット５８の中心軸線５８ａの上方に向って引き上げられ、筒体本体９０の係合溝９０ａが排水口形成部材６４の筒体取付用保持突起７２から完全に切り離される。
【００８７】
つぎに、図１１Ｃの（ｇ）に示すように、筒体６２が排水口ユニット６０に対して上方から取り外された状態において、図１１Ａの（ｃ）で先に一旦取り外された排水弁ユニット５８が上方から再び排水口ユニット６０に取り付けられ、図１１Ｃの（ｈ）に示すような状態となる。
このとき、図１１Ｃの（ｈ）に示すように、制御筒７６の係合溝７６ｄの下方から排水口形成部材６４の制御筒取付用保持突起７８が挿入されるが、制御筒７６の係合溝７６ｄと排水口形成部材６４の制御筒取付用保持突起７８は完全には係止されていない。
【００８８】
つぎに、図１１Ｃの（ｉ）に示すように、図１１Ｃの（ｈ）に示す排水弁ユニット５８の制御筒７６について、排水弁ユニット５８の中心軸線５８ａを中心に制御筒７６の係合溝７６ｄと排水口形成部材６４の制御筒取付用保持突起７８との水平方向の係止が行われる方向に回転させることにより、制御筒７６の係合溝７６ｄに排水口形成部材６４の制御筒取付用保持突起７８が嵌り込んで両者の係止が完了し、筒体６２が取り外され状態の排水弁装置２００となる。
また、再び筒体６２を排水弁装置２００に取り付ける際には、図１１Ａの（ａ）から図１１Ｃの（ｉ）への一連の工程とは逆の工程を行う。
【００８９】
上述した本発明の第３実施形態による排水弁装置２００によれば、筒体６２が排水口ユニット６０に上方から着脱可能に取り付けられているため、貯水タンク２２を便器本体２に施工した後においても、筒体６２を排水口ユニット６０に対して上方から容易に着脱することができる。すなわち、例えば、水洗便器１の大洗浄モードと小洗浄モードのいずれかを選択して行う洗浄水タンク装置の形態には、本発明の第１実施形態による排水弁装置２８のように、筒体６２を排水口ユニット６０に取り付けた状態で使用し、水洗便器１の大洗浄モードのみを限定して行う洗浄水タンク装置の形態には、本発明の第３実施形態による排水弁装置２００のように、筒体６２を排水口ユニット６０から取り外した状態で使用することにより、排水弁装置を洗浄水タンク装置の洗浄形態に適した状態に容易に設定することができる。すなわち、筒体６２を排水口ユニット６０から着脱することができる簡易な構造により、容易に大洗浄モードに加えて小洗浄モードも可能にしたり、容易に小洗浄モードを省いて大洗浄モードのみに限定したりすることができる。この結果、排水弁装置２８の筒体６２以外の排水口ユニット６０や排水弁ユニット５８の各関連部品について、水洗便器１の洗浄の形態にかかわらず共通化することができる。
【００９０】
さらに、本実施形態による排水弁装置２００によれば、筒体６２が排水口ユニット６０に取り付けられた状態では、切替弁５６により筒体本体９０の開口部９０ｃを開放して筒体内に流入する洗浄水量を大とし、排水弁ユニット５８の弁体８４による排水口２２ａの開放によって便器本体２の導水路６に供給される洗浄水量を所定の大洗浄用の洗浄水量である大洗浄モードに設定可能であり、且つ、切替弁５６により筒体本体９０の開口部９０ｃを閉鎖して筒体本体９０内に流入する洗浄水量を小とし、排水弁ユニット５８の弁体８４による排水口２２ａの開放によって便器本体２の導水路６に供給される洗浄水量を所定の小洗浄用の洗浄水量である小洗浄モードに設定可能とすることができる。
一方、筒体６２が排水口ユニット６０から取り外された状態では、排水弁ユニット５８の弁体８４による排水口２２ａの開放によって便器本体２の導水路６に供給される洗浄水量を所定の大洗浄用の洗浄水量である大洗浄モードのみに設定可能とすることができる。
【００９１】
また、本実施形態による排水弁装置２００によれば、排水弁ユニット５８の制御筒７６の貯水部７６ｂ内の洗浄水が小穴７６ａから流出して貯水部７６ｂ内の水位が低下すると、フロート部材５２も下降し、このフロート部材５２の下降と連動して排水弁ユニット５８の弁体９４が下降し、排水口２２ａを閉鎖するため、筒体６２が排水口ユニット６０に取り付けられている状態か否かにかかわらず、排水弁ユニット５８を機能させることができる。したがって、排水弁装置２８の筒体６２以外の排水口ユニット６０や排水弁ユニット５８の各関連部品について、水洗便器１の洗浄の形態にかかわらず共通化することができる。
【００９２】
さらに、本実施形態による排水弁装置２００によれば、便器の大洗浄モードと小洗浄モードを選択して行う洗浄水タンクの形態における排水弁装置として使用する場合には、筒体本体９０の係合溝９０ａを排水口ユニット６０の排水口形成部材６４の筒体取付用保持突起７２に上方から取り付けた状態で、制御筒７６の係合溝７６ｄを排水口形成部材６４の制御筒取付用保持突起７８に取り付けて排水弁装置を使用し、便器の大洗浄モードのみを行う形態における排水弁装置として使用する場合には、筒体本体９０の係合溝９０ａを排水口ユニット６０の排水口形成部材６４の筒体取付用保持突起７２に上方から取り外した状態で、制御筒７６の係合溝７６ｄを排水口形成部材６４の制御筒取付用保持突起７８に取り付けて排水弁装置を使用するため、排水弁装置を便器の洗浄の形態に適した状態に容易に設定することができる。
【００９３】
また、本実施形態による排水弁装置２００によれば、筒体６２を排水口ユニット６０から着脱する際に、筒体本体９０をその中心軸線５８ａを中心に回転させることにより、筒体本体９０の排水口側の端部に形成された係合溝９０ａが排水口ユニット６０の排水口形成部材６４の筒体取付用保持突起７２から着脱されるため、貯水タンク２２内の水位が上下動したとしても、この水位の上下動に伴って筒体６２も上下動して筒体６２が排水口ユニット６０から不用意に外れてしまうことを防ぐことができる。
【符号の説明】
【００９４】
１    水洗便器
２    便器本体
４    ボウル部
６    導水路
８    トラップ管路
８ａ  入口
８ｂ  上昇路
８ｃ  下降路
１０    リム
１２    第１吐水口
１４    溜水部
１６    第２吐水口
１８    洗浄水タンク装置
２０    外装タンク
２２    貯水タンク
２２ａ  排水口
２４    蓋体
２６    給水装置
２８，１００，２００    排水弁装置
３０    給水管
３２    給水バルブ
３４    フロート
３６    吐水口
３８    リフィール管
４０    オーバーフロー管
４０ａ  弁体保持部
４０ｂ  円筒部
４０ｃ  曲がり面
４２    操作レバー（操作部）
４４    回転軸（操作部）
４４ａ  回転軸の中心軸線
４６    玉鎖引き上げ部材（操作部）
４６ａ  第１玉鎖取付部
４６ｂ  第２玉鎖取付部
４６ｃ  第３玉鎖取付部
４８    第１玉鎖（大洗浄用連結部材）
５０    第２玉鎖（小洗浄用連結部材）
５２    フロート部材
５２ａ  第１玉鎖取付部
５２ｂ  第２玉鎖取付部
５２ｃ  フロート部
５２ｄ  底部
５２ｅ  オーバーフロー管取付部
５２ｆ  フロート部の中央穴
５４    第３玉鎖
５６    切替弁
５６ａ  第３玉鎖取付部
５６ｂ  錘
５８    排水弁ユニット
５８ａ  排水弁ユニットの中心軸線
６０    排水口ユニット（排水部）
６２    筒体
６４    排水口形成部材
６４ａ  流路面
６６    シール部材
６８    締結部材
７０    排水口形成部材の排水口上縁部
７２    筒体取付用保持突起
７４    排水口形成部材の上端開口部
７６    制御筒
７６ａ  小穴
７６ｂ  貯水部
７６ｃ  ガイド部
７６ｄ  係合溝
７８    制御筒取付用保持突起
８０    排水口形成部材のリブ
８２    連通口
８４    弁体
８６    オーバーフロー管取付部材
８６ａ    流入口
８８    リフィール管取付部材
８８ａ  ノズル部
９０    筒体本体
９０ａ  係合溝
９０ｂ  側壁
９０ｃ  洗浄モード切替用開口部
９０ｄ  流量調節用開口部
９０ｅ  流量調節用スライド部材
【図１】
2012072589.tif 000003
【図２】
2012072589.tif 000004
【図３】
2012072589.tif 000005
【図４】
2012072589.tif 000006
【図５】
2012072589.tif 000007
【図６】
2012072589.tif 000008
【図７】
2012072589.tif 000009
【図８】
2012072589.tif 000010
【図９】
2012072589.tif 000011
【図１０】
2012072589.tif 000012
【図１１Ａ】
2012072589.tif 000013
【図１１Ｂ】
2012072589.tif 000014
【図１１Ｃ】
2012072589.tif 000015